(57)【特許請求の範囲】
【請求項１】
熱収縮性を有する第１フィルムの表面の一部に第２フィルムの裏面が積層接着された積層フィルムであって、第１フィルムの表面の一部領域が露出した第１フィルム露出面と第２フィルムの表面とを有する積層フィルムに意匠表示を印刷する際、
第１フィルム露出面と第２フィルムの表面の両面に、凸版印刷によって意匠表示を同時に印刷することを特徴とする熱収縮性積層フィルムの印刷方法。
【請求項２】
熱収縮性を有する第１フィルムの表面の一部に第２フィルムが積層接着されている熱収縮性積層フィルムであって、第１フィルムの表面の一部領域が露出した第１フィルム露出面と第２フィルムの表面の両面に、凸版印刷によって意匠表示が同時に印刷されていることを特徴とする熱収縮性積層フィルム。
【請求項３】
請求項２記載の熱収縮性積層フィルムを、第２フィルムを外側にして筒状に成形してなる熱収縮性筒状ラベルであって、第１フィルムの裏面のうち、少なくとも第１フィルム露出面に対応する裏面に、滑り成分を含む内面印刷層が設けられていることを特徴とする熱収縮性筒状ラベル。
【発明の詳細な説明】
【技術分野】
【０００１】
本発明は、第１フィルムの表面の一部分に第２フィルムが積層された積層フィルムに印刷を施す積層フィルムの印刷方法、及び熱収縮性積層フィルム、及び熱収縮性筒状ラベルに関する。
【背景技術】
【０００２】
一般に、コーヒー、紅茶、緑茶などを充填した食品充填済み容器は、加熱、或いは冷やして食することが多い。このように容器を加熱又は冷やすと、容器の温度が持ち手に直接伝わるため、従来、容器に断熱性を有するラベルを装着することが行われている。
かかるラベルとして、特開２００５−５５４９０公報の［００３２］及び図１（ハ）等には、熱収縮性の基材フィルムに、接着剤を介して不織布を積層した積層フィルムを、不織布が外側となるように筒状に成形してなる熱収縮性筒状ラベルが開示されている。
【０００３】
かかる熱収縮性筒状ラベルは、基材フィルムの表面に積層された不織布がラベル外面を構成しているので、基材フィルムの表面に意匠印刷を施しても該意匠表示は殆ど見えない。従って、不織布を外側にした筒状ラベルに於いては、一般に、不織布の表面（基材フィルムの接着面と反対の面）に印刷が施される。
【０００４】
しかしながら、不織布の表面に印刷を施す場合、合成樹脂フィルムの表面に施す場合に比して、その意匠表示を正確に表すことができない。
特に、製造元、内容物表示、各種説明書きなどの細く小さい文字（例えば８ポイント以下）やバーコードなどの機械的読取記号などは、高精度に表すことが求められるところ、これら高精度意匠表示を不織布の表面に印刷しても正確に表すことはできない。
【０００５】
そこで、（基材フィルムの表面全体に不織布を積層せず）基材フィルムの表面の一部領域を除いて不織布を積層することにより、基材フィルムの一部領域が露出した基材フィルム露出面を形成し、この基材フィルム露出面に、上記高精度意匠表示を印刷するという手法が考えられる。
このように基材フィルム露出面を形成することで、高精度意匠表示を正確に表すことができ、他方、高精度意匠表示ほどには正確性が求められない低精度意匠表示（例えば、デザイン絵柄、商標など）は、不織布表面に印刷すればよい。そして、包装フィルムへの印刷は、色調の表現力に優れ、高速印刷可能であることなどから、通常、グラビア印刷にて行われる。
【０００６】
しかしながら、上記のように基材フィルムの一部領域を除いて不織布が積層された積層フィルムは、基材フィルム露出面と不織布の間で高低差が生じるので、グラビア印刷法では、基材フィルム露出面と不織布の表面に、同時に意匠表示を印刷することが困難である。
すなわち、上記積層フィルムに於いて、不織布の表面は、基材フィルムの表面に対して厚み方向に突出しているので、基材フィルム露出面と不織布の境界線に於いて、不織布の厚み分だけ高低差が生じる。従って、グラビア印刷などの凹版印刷では、不織布の表面に、インキが付着しても、不織布の表面よりも低くなっている基材フィルム露出面には、凹版に詰められたインキが付着しない箇所が各所に生じる。
従って、意匠表示を美麗に表すためには、基材フィルム露出面と不織布の表面とを、別個に印刷しなければならない。
しかしながら、このように個別に印刷することは、印刷位置の微調整などを伴うので印刷工程が煩雑となる。
【０００７】
【特許文献１】特開２００５−５５４９０公報の［００３２］及び図１（ハ）等
【発明の開示】
【発明が解決しようとする課題】
【０００８】
そこで、本発明は、第１フィルムの一部領域が露出した第１フィルム露出面と第２フィルムの表面を有する積層フィルムに簡易に意匠表示を印刷することができる熱収縮性積層フィルムの印刷方法を提供することを課題とする。また、本発明は、第１フィルム露出面と第２フィルムの表面に美麗に意匠表示が印刷され、且つ簡易に製造することができる熱収縮性積層フィルム及び熱収縮性筒状ラベルを提供することを第２の課題とする。
【課題を解決するための手段】
【０００９】
本発明の第１の手段は、熱収縮性を有する第１フィルムの表面の一部に第２フィルムの裏面が積層接着された積層フィルムであって、第１フィルムの表面の一部領域が露出した第１フィルム露出面と第２フィルムの表面とを有する積層フィルムに意匠表示を印刷する際、第１フィルム露出面と第２フィルムの表面の両面に、凸版印刷によって意匠表示を同時に印刷する熱収縮性積層フィルムの印刷方法を提供する。
【００１０】
上記印刷方法によれば、第１フィルム露出面と第２フィルムの表面の両面に、凸版印刷によって意匠表示を印刷するので、インキの塗られた凸版の凸部が、凸版の印圧又は凸部の弾性変形により、高低差の生じている第１フィルム露出面と第２フィルムの表面の両面に接する。
従って、第１フィルム露出面と第２フィルムの表面の両面に、美麗な意匠表示を同時に印刷することができ、印刷工程を簡略化できる。
【００１１】
また、本発明の第２の手段は、熱収縮性を有する第１フィルムの表面の一部に第２フィルムが積層接着されている熱収縮性積層フィルムであって、第１フィルムの表面の一部領域が露出した第１フィルム露出面と第２フィルムの表面の両面に、凸版印刷によって意匠表示が同時に印刷されている熱収縮性積層フィルムを提供する。
【００１２】
上記熱収縮性積層フィルムは、高低差の生じている第１フィルム露出面と第２フィルムの表面の両面に、凸版印刷によって意匠表示が同時に印刷されるので、印刷工程を簡略化して積層フィルムを簡易に製造できる。又、第１フィルム露出面と第２フィルムの表面の両面に、美麗な意匠表示が印刷された熱収縮性積層フィルムを提供できる。
【００１３】
また、本発明の第３の手段は、上記熱収縮性積層フィルムを、第２フィルムを外側にして筒状に成形してなり、第１フィルムの裏面のうち、少なくとも第１フィルム露出面に対応する裏面に、滑り成分を含む内面印刷層が設けられている熱収縮性筒状ラベルを提供する。
【００１４】
上記熱収縮性筒状ラベルは、第２フィルムを外側にして筒状に成形しているので、第１フィルム露出面と第２フィルムの表面の両面に印刷された意匠表示がラベルの外側に現れる。
かかる熱収縮性筒状ラベルは、ラベルの内側（容器接触面側）となる第１フィルムの裏面のうち、少なくとも第１フィルム露出面に対応する裏面に、滑り成分を含む内面印刷層が設けられているので、筒状ラベルを熱収縮させた際、皺が発生し難いものである。
すなわち、第２フィルムが積層された領域と、第２フィルムが積層されていない領域では、収縮時間差があり、特に第２フィルム自体が非熱収縮又は弱熱収縮のものであると、この収縮時間差が大きくなる。この収縮時間差によって、筒状ラベルの内面のうち、第２フィルムが積層されていない領域が先ず容器に密着する。この第２フィルムが積層されていない領域に対応する内面が、容器に対して滑り難いものであると、筒状ラベルの動きが制限され、遅れて収縮する第２フィルムが積層された領域が略均一に熱収縮できない。この点、上記のように、滑り成分を含む内面印刷層が少なくとも第１フィルム露出面に対応する裏面に設けられていることにより、第２フィルムが積層されていない領域が、容器に対して円滑に動き、加熱収縮時の皺の発生を防ぐことができるのである。
【発明の効果】
【００１５】
本発明に係る熱収縮性積層フィルムの印刷方法は、第１フィルム露出面と第２フィルムの表面の両面に、意匠表示を同時に印刷することができるので、熱収縮性積層フィルムの印刷工程を簡略化することができる。
また、本発明に係る熱収縮性積層フィルムは、第１フィルム露出面と第２フィルムの表面の両面に、凸版印刷により意匠表示が同時に印刷されているので、簡易に製造でき、又、両面に表された意匠表示も美麗なものとなる。
さらに、本発明の熱収縮性筒状ラベルは、美麗な意匠表示が容器外側に現れ、更に、容器などに熱収縮装着した際に、皺が発生し難いので、商品価値の高いラベルを提供できる。
【発明を実施するための最良の形態】
【００１６】
以下、本発明について、図面を参照しつつ具体的に説明する。
図１及び図２に於いて、１は、熱収縮性の第１フィルム２の表面に第２フィルム３が積層接着された熱収縮性積層フィルム５を、第２フィルム３を外側にして筒状に丸めてセンターシールすることにより成形された熱収縮性筒状ラベル（以下、単に筒状ラベルと略記する場合がある）を示す。
【００１７】
該筒状ラベル１は、熱収縮性積層フィルム５を所定の大きさの矩形状に形成し、この矩形状の熱収縮性積層フィルム５を筒状に丸め、該熱収縮性積層フィルム５の一側端部５ａの裏面を、同フィルム５の他側端部５ｂの表面に重ね合わせ、両面を溶剤又は接着剤にて貼着してセンターシール部４を形成することによって構成されている。尚、図３にも示すように、熱収縮性積層フィルム５の一側端部５ａの裏面には、センターシール用の貼着部４１として第１フィルム２の一側端部の裏面が露出され、熱収縮性積層フィルム５の他側端部５ｂの表面には、センターシール用の貼着部４１として第１フィルム２の他側端部の表面が露出されている。従って、センターシール部４は、第１フィルム２の一側端部の裏面と他側端部の表面が接着されて構成されている。
そして、筒状ラベル１は、容器胴部などに外嵌し、所定温度（例えば、８０〜１２０℃程度）に加熱することにより、容器胴部などに装着される。尚、第２フィルム３が非熱収縮又は弱熱収縮のものである場合、第２フィルム３が第１フィルム２の熱収縮に引っ張られて追従収縮し、これにより熱収縮性積層フィルム５全体が熱収縮する。
【００１８】
具体的には、熱収縮性積層フィルム５は、図３にも示すように、熱収縮性の第１フィルム２の表面の一部に、接着剤層６を介して第２フィルム３の裏面が積層接着されている。従って、熱収縮性積層フィルム５は、第１フィルム２の表面に第２フィルム３が積層されていない一部領域２１を有し、この一部領域２１に於いて第１フィルム２の表面が露出している（以下、この一部領域の表面を「第１フィルム露出面」という）。
この第１フィルム露出面２１及び第２フィルム３の表面には、意匠印刷層７が設けられており、更に、第１フィルム２の裏面には、内面印刷層８が設けられている。
尚、図３及び図４に於いては、第２フィルム３として裏面に凹凸が形成された不織布を記載している。
【００１９】
第１フィルム２は、少なくとも一方向に熱収縮性を有するフィルムであれば特に限定されず、例えば、ポリエチレンテレフタレートなどのポリエステル系樹脂、ポリプロピレンなどのオレフィン系樹脂、スチレン−ブタジエン共重合体などのスチレン系樹脂、環状オレフィン系樹脂、塩化ビニル系樹脂などの熱可塑性樹脂からから選ばれる１種、又は２種以上の混合物などからなるフィルムが例示される。中でも、非熱収縮性又は弱熱収縮性の第２フィルム３を引張って収縮させるため、収縮力の強いポリエステル系樹脂フィルムを用いることが好ましい。また、異なる２種以上の熱収縮性のフィルムを積層した積層フィルムで構成されていてもよい。また、第１フィルム２は、透明なフィルムを用いることが好ましい。フィルムは公知の製法で製膜し延伸処理することにより熱収縮性フィルムを得ることができる。延伸処理は、通常、７０〜１１０℃程度の温度で、幅方向（筒状ラベル１とした場合に周方向、以下同じ）に２．０〜８．０倍、好ましくは３．０〜７．０倍程度延伸することにより行われる。さらに、縦方向（幅方向に直交する方向。筒状ラベル１とした場合に縦方向。以下同じ）にも、例えば１．５倍以下の低倍率で延伸処理を行ってもよい。得られたフィルムは、一軸延伸フィルム又は主延伸方向と直交する方向に若干延伸された二軸延伸フィルムとなる。第１フィルム２の厚みは、概ね２０〜６０μｍ程度のものが好ましい。
【００２０】
上記第１フィルム２は、例えば、幅方向に於ける熱収縮率（９０℃温水中に１０秒間浸漬）が約３０％以上、好ましくは約４０％以上のものが例示される。また、縦方向に於ける熱収縮率は、約−３〜１５％程度のものが例示される。
但し、熱収縮率（％）＝［｛（幅方向（又は縦方向）の元の長さ）−（幅方向（又は縦方向）の浸漬後の長さ）｝／（幅方向（又は縦方向）の元の長さ）］×１００。
さらに、第１フィルム２は、９０℃の温水中に侵漬した際の幅方向の収縮応力が、３ＭＰａ以上、更に５ＭＰａ以上の熱収縮性フィルムを用いることが好ましい。かかる収縮応力を有する熱収縮性フィルムを用いることにより、非熱収縮性又は弱熱収縮性の第２フィルム３を十分に引っ張り、良好な熱収縮特性を有する熱収縮性積層フィルム５を構成できる。
尚、この収縮応力は、フィルムを幅１５０ｍｍ、縦１５ｍｍの長方形状に切り取り、このフィルム片の幅方向の両端部を応力測定器（（株）島津製作所製、商品名：オートグラフ）のチャックに保持し（チャック間距離１００ｍｍ）、９０℃の温水中に１０秒間浸漬し、その間に生じる最大収縮応力（ＭＰａ）を言う。
【００２１】
次に、第２フィルム３は、特に限定されず、従来公知の各種のフィルムを用いることができ、例えば、不織布、発泡樹脂シート、和紙、合成樹脂フィルムなどを用いることができる（但し、本明細書に言う「シート」とは、「フィルム」と同義である）。また、第２フィルム３は、同種又は異種のフィルムの積層体から構成されていてもよい。中でも、断熱性が求められる場合には、第２フィルム３として、不織布、発泡樹脂シート、和紙などの断熱性シートを含むものを用いることが好ましい。更に、筒状ラベル１とした場合、筒状ラベル１の外面側に現れて高級感を醸し出すことができ、持ち手の触感にも優れていることから、第２フィルム３として、不織布や和紙を用いることが好ましい。
第２フィルム３の厚みは、３００μｍ以下程度が好ましく、更に、２００μｍ以下程度のものが好ましい。第２フィルム３が厚すぎると、熱収縮性積層フィルム５の表面に、第１フィルム露出面２１と第２フィルム３の高低差が大きくなり過ぎて、凸版印刷によっても両面を同時に美麗に印刷できない虞があるからである。
【００２２】
第２フィルム３として用いられる不織布は、特に限定されず、ポリエステル、ポリプロピレン、ポリエチレン、レーヨン紙、ナイロン、キュプラなどの繊維を、スパンボンド法、接着法、ニードルパンチ法、メルトブロー法などによってシート状に作製された不織布や、パルプ繊維などを紙漉き法などによって作製した和紙調の不織布などを用いることができる。不織布を構成する繊維は、中実繊維、中空繊維、又はこれらの混合繊維を用いることができる。また、断熱性が求められる場合には、より断熱性に優れることから中空繊維又はその混合繊維を用いることが好ましい。また、繊維長については、繊維同士の絡み合いにより形成される３次元網目構造による強度やシートの取扱い性などの点では長繊維不織布が好ましく、ラベル切断時のカット適正では短繊維不織布が好ましい。不織布は、例えば目付量約１０〜５０ｇ／ｍ2が好ましく、更に、１５〜３０ｇ／ｍ2程度がより好ましく、厚み約３０〜３００μｍ程度のものが好ましい。不織布の繊維の太さは、意匠表示を美麗に表すことができることから出来るだけ細いものが好ましく、例えば１０ｄ（デニール）以下、更に、５ｄ以下のものを用いることが好ましい。また、不織布として、少なくとも幅方向に若干熱収縮するものを用いてもよい。
上記不織布の具体例としては、ユニチカ株式会社製「マリックス」、株式会社東洋紡製「ボンデン」、「エクーレ」、ユニセル株式会社製「ユニセル」などが挙げられる。
【００２３】
この不織布は、図４にも示すように、第１フィルム２への接着面である裏面が、複数の凹凸を有する凹凸状に加工されており、且つ意匠表示の印刷面である表面が、実質的に平坦状に形成されているものが好ましい。この不織布の裏面に於ける凹凸は、不織布の裏面全体を第１フィルム２の表面に接着させないようにするもので、これにより第１フィルム２の熱収縮時、不織布を良好に収縮させることができる。
不織布の裏面の凹凸は、例えば、不織布の裏面にエンボスロールを押圧する機械的エンボス加工にて形成することができる。また、該凹凸は、加熱したエンボスロールを用いて形成してもよい。
尚、不織布の表面には、繊維の絡み合いによって多少の凹凸があるため、不織布の表面が「実質的に平坦状」とは、上記エンボス加工などによる凹凸形成がほとんど行われておらず、不織布製造時に於ける不織布表面と略同様の状態を言う。
【００２４】
不織布の裏面に於ける凹み部３１の深さＨは、特に限定されないが、余りに深いと、凹み底部に於いて不織布が圧縮されて硬くなり過ぎ、一方、余りに浅いと凹み底部が第１フィルム２に接着して凹み部３１を形成したことが無意義となるので、凹み部３１の深さＨは、５〜１００μｍ程度が好ましく、更に、１０〜３０μｍ程度がより好ましい。例えば、ポリエステル系スパンボンド不織布（ユニチカ株式会社製、商品名：マリックス。７０２８１ＷＴＯ。目付量２８ｇ／ｍ２）を用いた場合には、凹み部３１の深さＨは、５〜２０μｍ程度に形成することが好ましい。
【００２５】
また、不織布の裏面に於ける凹み部３１の形成比率（単位面積当たりの凹み部形成面積）は、特に限定されないが、凹み部３１の形成比率が極端に大きすぎたり又は小さすぎると、第１フィルム２の熱収縮によって不織布が良好に追従しない虞があるので、凹み部３１の形成比率（（不織布裏面の単位面積当たりの凹み部３１の表面積の和／不織布裏面の単位面積）×１００）は、５〜６０％程度が好ましく、更に、１０〜５０％程度がより好ましい。
【００２６】
さらに、熱収縮性積層フィルム５を筒状ラベル１に成形し、これを径差の大きい部分を有する容器（例えば、飲料容器等として一般に用いられているボトル型容器では、筒状胴部とこれに続く肩部を有し、肩部の周長は胴部に比して短く、径差が大きく異なる部分を有する）に熱収縮装着した場合、筒状ラベル１のうち、容器の径差の大きい部分に対面する領域は、大きく熱収縮する。よって、この領域に於ける不織布は、第１フィルム２に追従して大きく収縮しなければならない。従って、筒状ラベル１のうち、容器の径差の大きい部分に対面する領域に於ける不織布の凹み部３１は、他の領域（容器の径差の小さい部分に対面する領域。例えば容器胴部に対面する領域）よりも多数又は大面積で形成されていることが好ましい。具体的には、容器の径差の大きい部分に対面する領域に於ける不織布の凹み部３１の形成比率を、１０〜５０％程度に形成し、他の領域に於ける凹み部３１の比率を、５〜３０％程度に形成することが好ましい。
【００２７】
また、凹み部３１の平面形状は、特に限定されず、例えば、図４（ａ）に示すような平面視略正方形、その他、平面視略長方形、略円形、略楕円形のような無数点状に形成されているものの他、格子状や斜め格子状などに形成されていてもよい。凹み部３１は、不規則に形成されているものでも良いが、同図に示すように規則的に形成されていることが好ましい。
【００２８】
次に、第２フィルム３として用いられる発泡樹脂シートは、特に限定されず、例えば、ポリスチレン、ポリエチレン、ポリプロピレン、ポリウレタンなどを用いることができる。中でも好適な発泡性を有することからポリスチレン系を用いることが好ましい。スチレン系樹脂としては、汎用的なスチレンモノマーからなるポリマーの他、スチレン−ブタジエン、無水マレイン酸、メタクリル酸などとスチレンとの共重合体などを用いることができる。発泡方法は、物理的発泡、化学的発泡など公知の発泡方法で行えばよい。これらの樹脂には、必要に応じて、各種フィラー、着色剤、可塑剤、安定剤などの添加剤を適宜添加することができる。発泡樹脂シートは、多数の気泡を含むことから白色を呈しているが、白色濃度を向上させるため、酸化チタンなどの白色系顔料を添加してもよい。発泡樹脂シートの厚みは、例えば８０〜３００μｍ程度のものが好ましい。また、発泡樹脂シートとして、少なくとも幅方向に熱収縮しうるものを用いることが好ましいが、第１フィルム２の熱収縮力に追従して収縮可能なものであれば、自ら熱収縮しないものでもよい。
【００２９】
第２フィルム３として用いられる和紙は、挟義には楮(こうぞ）、三椏(みつまた)、雁皮(がんぴ）などの天然靭皮長繊維を原料とし、これにネリを加えて手漉きした紙を用いることができる。本発明では、これら楮などのほか、麻、ケナフ、レーヨン、木材パルプ、合成繊維などの各種の長繊維原料を機械的に漉いて得られる広義の和紙も含まれる。中でも、例えば雲龍紙を用いることが好ましい。和紙は、その目付量が９〜２５ｇ／ｍ２程度のものが用いられる。目付量が余りに少ないと第１フィルム２に積層接着する際などに破れたりする虞があり、一方、目付量が余りに多いと第１フィルム２の熱収縮に伴い十分に追従収縮しない虞があるからである。
【００３０】
第２フィルム３として用いられる合成樹脂フィルムについても特に限定されず、例えば、上記第１フィルム２として例示した熱収縮性フィルムなどを用いることができる。
【００３１】
尚、第２フィルム３として、着色された不織布、発泡樹脂シートなどを用いることもできる。この着色不織布などの色彩は、好ましくは、意匠印刷層７や内面印刷層８とデザイン的に一体を成すようなもの例えば内面印刷層８のベタ印刷と同様の色彩のものや、或いは容器の外面と同様の色彩などが例示される。
【００３２】
上記第２フィルム３は、第１フィルム２の一部を除いて、第１フィルム２の表面に接着剤層６を介して積層接着されている。尚、裏面に凹凸が形成された不織布を用いる場合には、主としてその突出面３２が、接着剤層６を介して第１フィルム２に接着している。
具体的には、図３に示すように、第２フィルム３の一側縁３ａを、第１フィルム２の一側縁２ａに一致させ、且つ、第２フィルム３の他側縁３ｂを、第１フィルム２の他側縁２ｂから所定幅Ｗ内側へ寄ったところに位置させて、第２フィルム３の裏面が、第１フィルム２の表面に積層接着されている。従って、熱収縮性積層フィルム５は、その他側縁から所定幅Ｗの領域に、第１フィルム露出面２１が形成され、他の領域に於いては、第２フィルム３の表面が露出している。
【００３３】
この所定幅Ｗ（第１フィルム露出面２１の幅）は、熱収縮性積層フィルム５の他側端部５ｂに於いて、センターシール用の貼着部４１の幅Ｗ１（通常、５ｍｍ〜１５ｍｍ程度）を少なくとも確保でき、更に、このセンターシール用の貼着部４１の幅Ｗ１以上の長さ（例えば、下記機械的読取記号や細小文字などの高精度意匠表示を印刷可能な面積を確保できる長さ）に形成されている。具体的には、所定幅Ｗは、筒状ラベル１の周長の１／１０〜１／３程度の長さに形成される。余りに所定幅Ｗが長いと、それに応じて第２フィルム３の占める面積割合が小さくなり、第２フィルム３を積層する意義が低下し、一方、余りに所定幅Ｗが短いと、第１フィルム露出面２１が狭くなって意匠表示を印刷するスペースを確保できないからである。
【００３４】
このように第１フィルム露出面２１を幅広にすることで、その露出面２１に、バーコード、２次元コードなどの機械的読取記号や、製造元、内容物表示、説明書きなどの細小文字（例えば、８ポイント以下）などの高精度意匠表示を印刷することができる。
第２フィルム３として不織布を用いる場合、該不織布の表面は、上記のように実質的に平坦状にされているので、その表面に意匠表示を美麗に印刷できるが、不織布の表面に印刷された意匠表示は、第１フィルム２に印刷される場合に比べ、その正確性が劣ることは否めない。
この点、上記のように第１フィルム露出面２１を、機械的読取記号などを印刷可能な面積に確保することで、意匠表示のうち、正確性が要求される高精度意匠表示（機械的読取記号や細小文字など）を正確に表すことができる。
【００３５】
上記接着剤層６に用いる接着剤としては、例えば、公知のドライラミネート接着剤、ウェットラミネート接着剤などが挙げられる。ドライラミネート接着剤としては、例えば、アクリル系、ウレタン系、ポリエステル系、ポリエーテル系、酢酸ビニル系、塩化ビニル系、ゴム系などの溶剤型接着剤又は２液型接着剤などが例示される。中でも、ドライラミネートにより接着することが好ましい。
接着剤層６は、余りに多く塗工すると、不織布や和紙に多量の接着剤が含浸して硬くなり、収縮を阻害する虞があるので、接着剤層６の厚み（塗工時厚）は、例えば２〜１０μｍ程度が好ましい。また、接着剤層６は、上記接着剤をベタ塗り状に塗工することが簡便で好ましいが、接着剤を網状などに塗工して設けることも可能である。
特に、第２フィルム３が、上記凹み部３１を有する不織布の場合には接着剤をベタ塗り状にしてもよいが、第２フィルム３が、発泡シート、和紙、凹凸のない不織布などの場合には、網状や縦方向筋状などに接着剤を塗工すれば、収縮追従性を良好に出来る。
【００３６】
次に、意匠印刷層７は、所望の意匠表示が印刷された層であり、第１フィルム露出面２１及び第２フィルム３の表面に跨って設けられている。具体的には、第１フィルム露出面２１（但し、熱収縮性積層フィルム５の他側端部５ｂに於けるセンターシール用の貼着部４１を除く）及び第２フィルム３の表面全体に、意匠印刷層７が設けられている。第１フィルム露出面２１及び第２フィルム３の表面に表される意匠表示の種類は、特に限定されないが、上述のように、第１フィルム露出面２１には、より正確な印刷を施すことができることから、第１フィルム露出面２１に、細小文字や機械的読取記号などの高精度意匠表示を主として印刷することが好ましい。他方、第２フィルム３の表面には、高精度意匠表示ほどには正確性が求められない低精度意匠表示（例えば、デザイン絵柄、商標など）を主として施すことが好ましい。特に、第２フィルム３が、不織布や和紙などの場合には、布地や和紙の風合いを活かしたデザインを施すのが良い。
【００３７】
このように第１フィルム露出面２１及び第２フィルム３の表面の両面には、１〜８色程度の意匠表示が印刷されているが、該意匠表示の印刷は、フレキソ印刷、凸版輪転印刷などの凸版印刷、特に、弾性を有する版（例えば、ゴム版など）を用いるフレキソ印刷によって同時に印刷されている。
【００３８】
尚、特に図示しないが、第１フィルム露出面２１及び第２フィルム３の表面に設けられた意匠印刷層７の表面全体には、透明なオーバーコート層が設けられている。オーバーコート層としては、例えば、ポリエステル系、エポキシ系、アクリル系などの透明ニス等を用いることができ、例えば厚み０．５〜５μｍ程度に形成される。
オーバーコート層は、印刷インキの脱落を防止すると共に、不織布の表面に於ける不織布繊維の毛羽立ちを防止する。
【００３９】
次に、第１フィルム２の裏面に設けられた内面印刷層８は、第１フィルム２の裏面の略全体（但し、熱収縮性積層フィルム５の一側端部５ａに於けるセンターシール用の貼着部４１を除く）にベタ状に設けられている。内面印刷層８のベースフィルム２に対するベタ状印刷は、グラビア印刷法にて行うことが好ましい。
内面印刷層８のインキは、特に限定されず、例えば、白色インキ、透明インキ、青色インキなどの各種インキを公知の印刷法にて設けられている。中でも、白色インキを用いることにより、第１フィルム露出面２１に印刷された意匠表示を鮮明に見せることができる。
【００４０】
白色インキとしては、例えば、白色顔料、ビヒクル及び必要に応じて添加される各種添加剤からなるインキが例示される。白色顔料としては、例えば、二酸化チタン、亜鉛華、炭酸カルシウム、クレー、アルミナホワイトなどを用いることができ、中でも、滑り性及び隠蔽性に優れることから、二酸化チタン（特に、ルチル型）を用いることが好ましい。ビヒクルとしては、例えば、水又は水とアルコールに、アクリル樹脂、アクリル共重合体、ポリエステル系樹脂、ウレタン樹脂、水性ポリアミド樹脂などを分散させたエマルジョンなどの水性のものや、トルエン、メチルエチルケトン、酢酸エチル、イソプロピルアルコールなどの溶剤に、ロジン、ケトン樹脂、塩化ビニル樹脂、塩化ビニル−酢酸ビニル共重合体、アクリル樹脂、ウレタン樹脂、アクリル−ウレタン共重合体、ポリエステル樹脂などを溶解させた溶剤型のものなどが例示される。尚、添加剤としては、ワックス類、シリコーンなどの滑剤、シリカなどの微粒子、分散剤、安定剤、増粘剤、消泡剤、防かび剤、水溶化剤などが例示される。
【００４１】
透明インキとしては、例えば、実質的に顔料を含まないメジウムインキなどが例示される。このインキは、実質的に顔料を含まず、例えば、水又は水とアルコールに、アクリル樹脂、アクリル共重合体、ポリエステル系樹脂、ウレタン樹脂、水性ポリアミド樹脂などを分散させたエマルジョンなどの水性のものや、トルエン、メチルエチルケトン、酢酸エチル、イソプロピルアルコールなどの溶剤に、ロジン、ケトン樹脂、塩化ビニル樹脂、塩化ビニル−酢酸ビニル共重合体、アクリル樹脂、ウレタン樹脂、アクリル−ウレタン共重合体、ポリエステル樹脂などを溶解させた溶剤型のものなどが例示される。尚、必要に応じて滑剤などの各種添加剤が混合されていてもよく、透明性を損ねない程度で滑剤を含んでいる透明インキが好ましい。
【００４２】
上記内面印刷層８の裏面は、筒状ラベル１の容器接触面となるので、該内面印刷層８は、容器表面に対して滑り性に優れているものが好ましく、例えば、内面印刷層８の裏面は、その静摩擦係数が０．１〜０．６程度となるように形成されていることが好ましく、更に、０．２〜０．４程度となるように形成されていることがより好ましい。このような内面印刷層８を設けることで、容器などに外嵌挿し易く、又、収縮仕上がりも良好となる。
尚、この静摩擦係数は、一面に乾燥厚２μｍの内面印刷層がベタ状に印刷されたフィルム基材を、８０ｍｍ×１００ｍｍ（幅×長さ）に切り取り、二軸延伸のポリエチレンテレフタレートフィルム（東洋紡績（株）製、Ａ１１０１＃１００の未処理面）を１００ｍｍ×３００ｍｍ（幅×長さ）に切り取り、内面印刷層の裏面をこのポリエチレンテレフタレートフィルムに重ね、ＪＩＳ  Ｋ  ７１２５に準じて、引張りスピード２００ｍｍ／分、温度２３±２℃、湿度５０±５％で、測定された数値をいう。
【００４３】
このような滑り性に優れた内面印刷層８は、微粒子や滑剤などの滑り成分を含むインキを用いることで形成できる。滑り成分としては、例えば、シリカ、二酸化チタンなどの無機微粒子、ワックス類、シリコーンなどの滑剤が挙げられる。
滑り性に優れた白色インキとしては、上記白色インキのうち、白色顔料として二酸化チタンを含むものや、添加剤としてシリカを含むものが例示される。
前者の白色インキに於いて、二酸化チタンは、白色インキの固形分全量に対して、１０〜８０重量％程度混合されていることが好ましく、更に、３０〜６０重量％程度混合されていることがより好ましい。
また、滑り性に優れた透明インキとしては、上記透明インキに、シリカを含むものが挙げられる。
上記シリカは、粒子径１〜１０μｍ程度のものを主として用いることが好ましく、特に、粒子径１〜５μｍ程度のものがより好ましい。シリカは、これらインキの固形分全量に対して、１０〜４０重量％程度混合されていることが好ましく、更に、１５〜３０重量％程度混合されていることがより好ましい。また、滑剤は、０．５〜２０重量％程度含まれていることが好ましい。
【００４４】
尚、筒状ラベル１のセンターシール部４に於ける熱収縮性積層フィルム５の両側端部５ａ，５ｂの貼着は、上述のように溶剤又は接着剤を用いることができるが、第１フィルム２が溶剤接着可能なフィルムの場合には、貼着部分の厚みを薄くでき、しかも熱収縮を阻害しないことから、樹脂成分などの固形分を含まない溶剤を用いて貼着することが好ましい。例えば、ポリエステル系樹脂、ポリスチレン系樹脂、表裏面に非晶性環状ポリオレフィン系樹脂を積層したフィルムなどを第１フィルム２を用いる場合には、テトラヒドロフラン、ジオキサン、ジオキソランなどのエーテル系溶剤、塩化メチレンなどのハロゲン化炭化水素系溶剤、シクロヘキサン、メチルシクロヘキサンなどの脂環族炭化水素系溶剤、アセトン、メチルエチルケトン、メチルイソブチルケトンなどのケトン系溶剤、酢酸エチル、酢酸メチルなどのエステル系溶剤、ヘキサンなどの脂肪族炭化水素系溶剤、トルエンなどの芳香族炭化水素系溶剤などの１種、又は２種以上の混合溶剤などの有機溶剤が例示される。
【００４５】
上記熱収縮性積層フィルム５及び筒状ラベル１は、例えば、下記機械的製造方法で製造することができる。以下、第１フィルム原反から偶数倍（例えば２列）の積層フィルムを製造する方法について工程毎に詳述する。
（第１フィルム原反作製工程）
図５に示すように、切断予定線Ｘにて縦方向に切断することにより、２列の熱収縮性積層フィルム５を得ることができる所定幅の第１フィルム原反２０を準備する。つまり、この第１フィルム原反２０は、後述する各工程を経た後、幅方向略中央部の切断予定線Ｘで長手方向（縦方向）に切断することにより、２列の熱収縮性積層フィルム５，５を得ることができるものである。
【００４６】
この第１フィルム原反２０の裏面のうち、切断予定線Ｘを挟んだ幅方向中央部に於ける所定幅（センターシール用の貼着部４１の約２倍幅）を除き、白色インキなどをベタ状に印刷することにより内面印刷層８を設ける。
尚、内面印刷層８を設けた後、通常、第１フィルム原反２０は、一旦ロール状に巻き取られ、下記積層工程に移行されるが、この点、図示しない。また、下記第２フィルム３原反３０や、積層フィルム原反５０などについても、必要に応じて、工程毎にロール状に巻き取られることがあるが、この点、図示及び説明を省略することがある。
【００４７】
（第２フィルム原反作製工程）
他方、同様に２列の熱収縮性積層フィルム５を得ることができる第２フィルム原反３０を準備する。第２フィルム原反３０として不織布を用いる場合には、不織布原反の裏面に、公知のエンボスロールを押し当て、不織布原反の裏面にエンボス加工を施すことにより上記凹凸を形成する。エンボスロールの押圧力、不織布の種類などによっては、裏面に形成した凹凸が不織布原反の表面に浮き出て、不織布原反の表面に少し凹凸が形成されることがある。このような場合には、周面が鏡面状に形成された平坦ロールを不織布原反の表面に押し当て、不織布原反の表面に生じた凹凸を平坦状に均すことが好ましい。かかる工程を経ることで、裏面が凹凸状に形成され且つ表面が平坦状に形成された不織布原反を得ることができる。
そして、第２フィルム原反３０は、その幅が後述する積層工程に於ける接着剤層６の塗布幅と略一致するように、一側端部又は両側端部を長手方向に切り取って除去することで、幅調整が行われる。尚、この幅調整は、エンボス加工前に行うこともできる。
【００４８】
（積層工程）
次に、第１フィルム原反２０の表面のうち、図６に示すように、第１フィルム原反２０の両側縁から所定幅Ｗの領域をそれぞれ除いて、接着剤を塗工して接着剤層６を形成する。接着剤の塗工は、グラビア印刷などの公知の印刷法にて行うことができる。
そして、該接着剤層６の表面に、第２フィルム原反３０の裏面を貼り合わせ、第１フィルム原反２０の表面に第２フィルム原反３０を積層接着することにより、積層フィルム原反５０を作製する。
得られた積層フィルム原反５０の表面の両側には、第１フィルム露出面２１が形成されている。また、積層フィルム原反５０の裏面の中央部には、センターシール用の貼着部４１の約２倍幅に相当する第１フィルム原反２０の裏面が露出している。
【００４９】
尚、上記積層方法は、予め幅調整の行われた第２フィルム原反３０を用いるが、予め所定幅に形成されていない第２フィルム原反３０を用いることも可能である。
具体的には、上記積層工程に於いて、幅未調整の第２フィルム原反３０を、接着剤層６に貼り合わす直前に、接着剤層６の幅と略同幅となるように、第２フィルム原反３０の両側端部をカッターで長手方向に切断除去し、切断された第２フィルム原反３０の両側縁が接着剤層６の両側縁に略重なるように貼り合わせる。このように第２フィルム原反３０を、貼り合わせる直前に切断することにより、第２フィルム原反３０の貼り合わせ位置を調整し易いという利点がある。
また、かかる積層方法に代えて、予め所定幅に形成されていない第２フィルム原反３０を、接着剤層６に重なるように貼り合わせ、その後、接着剤層６の両側縁からはみ出ている第２フィルム原反３０の両側端部（非接着部分）を、カッターなどで除去してもよい。
【００５０】
（印刷工程）
上記積層フィルム原反５０の表面のうち、図７（ａ）に示すように、両側端部の所定幅（センターシール用の貼着部４１の幅）を除いて、フレキソ印刷版などの凸版９を用いて、第１フィルム露出面２１及び第２フィルム原反３０の表面の両面に意匠印刷層７を同時に印刷する。この凸版９は、弾性変形可能なゴム製の凸版９で、同図（ｂ）に示すように、第１フィルム露出面２１に対応する部分には、高精度意匠表示を含む意匠表示を印刷できる凸部９１（画線部）が刻設されており、第２フィルム原反３０の表面に対応する部分には、低精度意匠表示を含む意匠表示を印刷できる凸部９２（画線部）が刻設されている。
尚、同図（ａ）は、第２フィルム原反３０を含む積層フィルム原反５０の厚く表しているため、凸版９の表面が第１フィルム露出面２１から離れているが、実際は、第２フィルム原反３０などは非常に薄く、これに対して凸版９は非常に大きいものである。
【００５１】
上記のように凸版印刷法にて印刷することにより、第１フィルム露出面２１と第２フィルム原反３０の表面の両面同時に、良好な意匠表示を印刷することができる。
すなわち、積層フィルム原反５０は、第１フィルム原反２０の表面の一部に第２フィルム原反３０が積層接着されているので、第１フィルム露出面２１と第２フィルム原反３０の境界線（上記では、第２フィルム原反３０の両側縁）に於いて、第２フィルム原反３０の厚み分だけ高低差が生じている。従って、グラビア印刷などの凹版印刷では、画線部である凹部に詰められたインキが第２フィルム原反３０の表面に付着しても、第２フィルム原反３０の厚み分だけ凹版と離れている第１フィルム露出面２１には、凹部のインキが付着し難い。従って、凹版印刷の場合には、第１フィルム露出面２１に美麗な印刷を施せないため、第１フィルム露出面２１と、第２フィルム原反３０の表面とを、別個に印刷しなければならない。
【００５２】
この点、凸版印刷の場合には、凸版９の印圧によって、同図（ｂ）に示すように、凸版９の凸部のうち、第２フィルム原反３０の表面に接する凸部９２が僅かに変形して高低差を吸収するので、第１フィルム露出面２１に対応する凸版の凸部９１が第１フィルム露出面２１に接する。よって、凸版印刷にて行うことにより、高低差のある第１フィルム露出面２１と第２フィルム原反３０の表面に、その幅方向に、意匠表示を同時に且つ美麗に印刷することが可能となる。
尚、不織布や和紙などは繊維が絡み合っていることから、表面に僅かな凹凸があるが、第２フィルム３として不織布や和紙を用いる場合にも、その表面への印刷は、凸版印刷が好ましい。
【００５３】
尚、上記意匠表示を印刷する際には、同図（ｃ）に示すように、切断予定線Ｘを切断することで得られる左右一対の熱収縮性積層フィルム５，５の意匠表示が、左右の積層フィルム５，５で、それぞれ上下逆向きになるように印刷される。
【００５４】
次に、この意匠印刷層７の上に重ね塗りするように、オーバーコート層をベタ状に設け、該積層フィルム原反５０を切断予定線Ｘにて長手方向に切断することにより（但し、幅調整のため、必要に応じて、第１フィルム原反２０の両側縁から所定幅を長手方向に切断する場合もある）、同一の２列の熱収縮性積層フィルム５，５が得られる。かかる切断工程後、得られた熱収縮性積層フィルム５は、ロール状に巻き取られて積層フィルムロールの態様で、保管、運搬などに供される。
そして、２列同時に作製された熱収縮性積層フィルム５のうち、一方の熱収縮性積層フィルム５については印刷方向が上下逆になっているため、巻き直しを行うことにより、同じ印刷向きに巻き取られた同一の積層フィルムロールが得られる。
【００５５】
尚、上記製法では、２列同時に作製する方法を例示したが、例えば、４列同時に作製することもできる。４列同時に作製する場合には、上記２列同時作製で用いた第１フィルム原反の略２倍幅の原反を用い、以下同様にして作製すればよい。
【００５６】
（筒状ラベル作製工程）
上記積層フィルムロールは、センターシール装置に装填される。センターシール装置に於いては、該ロールから熱収縮性積層フィルム５を引き出し、第２フィルム３を外側にして筒状にしつつ熱収縮性積層フィルム５の一側端部５ａの裏面又は他側端部５ｂの表面に、溶剤又は接着剤を長手方向に塗工し、一側端部５ａの裏面と他側端部５ｂの表面とを重ね合わせてすることにより筒状ラベル連続体が作製される。この筒状ラベル連続体は、通常、ロール状に巻き取られる。
【００５７】
（容器装着工程）
最後に、この筒状ラベル連続体ロールは、シュリンクラベラーに装填される。このシュリンクラベラーに於いては、筒状ラベル連続体を繰り出しながら所定長さ位置で幅方向に切断することにより、筒状ラベル１を作製し、続いて、これを容器胴部などに外嵌挿する。そして、この外嵌済み容器は、シュリンクトンネルなどのシュリンクゾーンに導かれ、筒状ラベル１を熱収縮させることにより、筒状ラベル１が容器の胴部などに装着されたラベル付き容器が得られる。
【００５８】
上記熱収縮性積層フィルム５は、意匠表示を凸版印刷にて印刷するので、第１フィルム露出面２１と第２フィルム３の表面に跨って意匠表示を同時に美麗に印刷できる。従って、印刷工程を第１フィルム露出面２１と第２フィルム３の印刷を分けて行う必要がなく、印刷工程を簡略化できる。
【００５９】
さらに、第２フィルム３として、裏面に凹凸が形成された不織布を用いた場合には、該不織布の裏面の突出面３２が第１フィルム２の表面に接着する。従って、不織布の裏面の凹み部３１がフィルム２に対して非接着又は弱接着となって収縮し易く、該熱収縮性積層フィルム５を加熱した際、第１フィルム２の熱収縮によって不織布が良好に追従収縮し、良好な収縮仕上がりとなる。また、この不織布は、その表面が実質的に平坦状に形成されているので、該不織布の表面に印刷された意匠表示を美麗に表すことができる。
【００６０】
また、上記熱収縮性積層フィルム５は、滑り成分を含む内面印刷層８が設けられているので、この積層フィルム５を筒状に成形した筒状ラベル１は、加熱収縮時に、第２フィルム３（特に、非熱収縮又は弱熱収縮の不織布、和紙など）が第１フィルム２から不均一に剥離する等して皺が生じず、良好な装着仕上がりを以て容器胴部などに装着できる。
すなわち、第１フィルム露出面２１が形成された熱収縮性積層フィルム５及びこの筒状ラベル１は、センターシール部４を除いて、第２フィルム３が積層された領域と、第２フィルム３が積層されていない領域（第１フィルム露出面２１に相当する領域）とを有する。この筒状ラベル１を加熱すると、第２フィルム３が積層されていない領域は、第２フィルム３が積層された領域よりも早く熱収縮する。特に、第２フィルム３が、それ自体非熱収縮又は弱熱収縮のものであると、両領域間の収縮時間差が生じ易い。この収縮時間差によって、筒状ラベル１の内面のうち、第２フィルム３が積層されていない領域が、先ず容器に密着する。この第２フィルム３が積層されていない領域に対応する内面が、容器に対して滑り難いものであると、筒状ラベル１の動きが制限され、遅れて収縮する第２フィルム３が積層された領域は略均一に熱収縮できず、例えば、第２フィルム３の他側縁３ｂ近傍（第１フィルム露出面２１と第２フィルム３の境界部分）で、皺が生じる。このように第１フィルム２の一部に第２フィルム３が積層されていない熱収縮性積層フィルム５からなる筒状ラベル１は、容器装着時に皺が生じ易いものである。
この点、上記のように、滑り成分を含む内面印刷層８が設けられていることにより、第２フィルム３が積層されていない領域が、容器に対して円滑に動き、加熱収縮時の皺の発生を防止できる。
【００６１】
但し、径差の大きい部分を有する容器に筒状ラベル１を装着した場合、容器の径差の大きい部分に対面する領域は、大きく熱収縮する（例えば、飲料用ＰＥＴボトルなどのボトル型容器の場合、筒状ラベル１の上方側が大きく熱収縮する）。このため、この領域に於いては、第２フィルム３（特に不織布）が収縮して分厚くなり、皺が生じたように見えることもあるが、細かな皺が均一に分布するため、仕上がり不良になり難い。
【００６２】
次に、本発明の変形例を示す。以下、主として上記各実施形態と異なる部分を説明し、同様の構成については、明細書及び図面に於いて、用語及び図番を援用し、その説明を省略することがある。
上記実施形態では、第１フィルム露出面２１は、第１フィルム２の他側縁２ｂから所定幅Ｗ内側に寄った領域に形成されているが、第１フィルム露出面２１は、上記態様に限定されず、種々の態様に変更することができる。
例えば、図８（ａ）に示すように、第１フィルム２の幅方向中央部に第２フィルム３を積層することで、第１フィルム２の両側領域に第１フィルム露出面２１，２１が形成されていてもよい。
また、上記実施形態では、第１フィルム露出部２１は、熱収縮性積層フィルム５の縦方向に帯状に設けられているが、例えば、同図（ｂ）に示すように、一部分が窓状に切り抜かれた第２フィルム３をベールフィルム２に積層接着することにより、熱収縮性積層フィルム５の表面に窓状の第１フィルム露出面２１を形成することもできる。
これら変形例の熱収縮性積層フィルム５に於いても、上記と同様に、第１フィルム露出部２１及び第２フィルム３の表面に、凸版印刷にて意匠印刷層７が設けられる。
【００６３】
また、上記実施形態では、センターシール用の貼着部４１を確保するため、第１フィルム２の一側端部５ａの裏面や他側端部５ｂの表面には、第２フィルム３、意匠印刷層７及び内面印刷層８が設けられていないが、第１フィルム２の一側端部５ａの裏面や他側端部５ｂの表面を露出させず、この面に第２フィルム３などを積層してもよい。かかる変形例の場合、筒状ラベル１を成形する際、センターシール部４を溶剤にて接着することが困難となるので、センターシール部４を適当な接着剤で接着したり、センターシール部４をテープ貼りで形成する等の手段が採用される。
【００６４】
また、上記実施形態では、滑り成分を含む内面印刷層８が、第１フィルム２の裏面の略全体に設けられているが、例えば、第１フィルム２の裏面のうち、少なくとも第１フィルム露出面２１に対応する裏面に、滑り成分を含む内面印刷層８が設けられた態様に変更することもできる。かかる変形例の態様でも、収縮時間差に起因する皺の発生を防止できる。
【００６５】
尚、本発明の熱収縮性積層フィルム５は、熱収縮性筒状ラベル１として使用される用途に限られず、ラベル内側に感熱性接着剤層を有する熱収縮性巻付け感熱ラベルや、オーバーラップフィルムなどの他の用途に用いることもできる。
また、本発明の筒状ラベル１は、飲料容器やボトル型容器に装着される用途に限られず、従来公知のものに適宜装着することができる。さらに、不織布などの断熱性を有する第２フィルム３が積層された熱収縮性積層フィルム５及び筒状ラベル１は、その断熱性から、断熱が求められる容器などに装着することが好ましいが、特に、このような用途に限定されるものではない。
【図面の簡単な説明】
【００６６】
【図１】（ａ）は、本発明の熱収縮性筒状ラベルの一実施形態を示す参考斜視図、（ｂ）は、同筒状ラベルを上側から見た参考上面図。
【図２】図１のＡ−Ａ線断面図。但し、オーバーコート層は省略している（以下、同様）。
【図３】本発明の熱収縮性積層フィルムの一実施形態を示す中央部省略斜視図。尚、幅方向断面を併せて示す。
【図４】第２フィルムとして用いられる不織布を示し、（ａ）は、その不織布を裏面側から見た一部省略背面図、（ｂ）は、同Ｂ−Ｂ線断面図。
【図５】同熱収縮性フィルムの製造工程を示し、（ａ）は、内面印刷層を印刷した第１フィルム原反を表面側から見た一部省略平面図、（ｂ）は、同フィルム原反を上側から見た上面図。
【図６】同熱収縮性フィルムの製造工程を示し、（ａ）は、更に、第２フィルム原反を積層した第１フィルム原反を表面側から見た一部省略平面図、（ｂ）は、同フィルム原反を上側から見た上面図。
【図７】同熱収縮性フィルムの製造工程を示し、（ａ）は、第１フィルム原反に第２フィルム原反が積層されてなる積層フィルムの表面に、凸版によって意匠印刷を施す状態を参考的に表した参考上面図、（ｂ）は、同（ａ）の丸囲いＣ部分の拡大断面図、（ｃ）は、意匠印刷層が設けられた積層フィルムを表面側から見た一部省略平面図。
【図８】（ａ）、（ｂ）共に、他の実施形態に係る熱収縮性積層フィルム（筒状ラベル用に矩形状に裁断されているもの）を表面側から見た平面図。尚、便宜上、第２フィルムが積層されている部分を薄塗りで表している。
【符号の説明】
【００６７】
１…熱収縮性筒状ラベル、２…第１フィルム、２ａ…第１フィルムの一側縁、２ｂ…第１フィルムの他側縁、２０…第１フィルム原反、２１…第１フィルム露出面、３…第２フィルム（不織布）、３ａ…第２フィルムの一側縁、３ｂ…第２フィルムの他側縁、３０…第２フィルム原反、３１…凹み部、３２…突出面、４…センターシール部、５…熱収縮性積層フィルム、５ａ…熱収縮性積層フィルムの一側端部、５ｂ…熱収縮性積層フィルムの他側端部、５０…積層フィルム原反、６…接着剤層、７…意匠印刷層、８…内面印刷層、９…凸版、９１，９２…凸部、Ｗ…第１フィルム露出部の幅、Ｗ１…他側端部のセンターシール用貼着部の幅、Ｈ…凹み部の深さ、Ｘ…切断予定線
【図１】
0004764120.tif 000002
【図２】
0004764120.tif 000003
【図３】
0004764120.tif 000004
【図４】
0004764120.tif 000005
【図５】
0004764120.tif 000006
【図６】
0004764120.tif 000007
【図７】
0004764120.tif 000008
【図８】
0004764120.tif 000009